(57)【特許請求の範囲】
【請求項１】
人形、自動車等の玩具からなる熱変色物（９）に冷気を吹きつけて熱変色物（９）を熱変色させる送風式変色装置であって、ケーシング（２）の外面に、吸込口（２１）と吐出口（２２）を設け、吐出口（２２）に可撓性ホース（６）を設け、前記可撓性ホース（６）の先端にノズル（７）を設け、ケーシング（２）の内部に、複数の冷熱ブロック（３１）を収容させた冷熱源室（３）と、吸込口（２１）から取り入れた空気を、冷熱源室（３）内を流通させ冷気として吐出口（２２）より吐出させる送風手段（５１）とを設け、前記冷熱源室（３）内に仕切壁（４）を設けることによって冷熱源室（３）内の空気流通路を曲折させたことを特徴とする送風式変色装置。
【発明の詳細な説明】
【０００１】
【発明の属する技術分野】
本発明は、送風式変色装置に関する。さらに詳細には、吸込口から外気を取り込み、吐出口から冷気を吐出させ、熱変色物（例えば、人形、自動車等の玩具）に前記冷気を吹きつけて、熱変色物を熱変色させる送風式変色装置に関する。
【０００２】
【従来の技術】
従来、この種の送風式変色装置において、例えば、実開平４−８０５９６公報には、氷片や冷水等の冷媒を容器内に収容させ、容器内に貫設された金属パイプ内を、空気を流通させることによって冷気を得る構成の熱変色性玩具用冷熱変色具が開示されている。また、実開平５−８６４００号公報には、熱源を収容した金属製容器の外周壁に放熱部を設け、該放熱部を空気を流通させることによって冷気を得る構成の送風式変色装置が開示されている。
【０００３】
しかし、前記従来の送風式変色装置は、両者共に、氷片及び冷水の冷熱が、金属製部材を介して間接的に流通空気に伝達される構成であるため、冷却効率が低下しがちである。特に、気温の比較的高い環境下では、十分な冷気を発生できず、熱変色物を短時間で熱変色させることが困難である。
【０００４】
【発明が解決しようとする課題】
本発明は前記従来の問題点を解決するものであって、冷却効率を向上させ、熱変色物を短時間で熱変色させることができる送風式変色装置を提供しようとするものである。
【０００５】
【課題を解決するための手段】
1)概要
本発明は、熱変色物９に冷気を吹きつけて熱変色物９を熱変色させる送風式変色装置１であって、ケーシング２の外面に、吸込口２１と吐出口２２を設け、ケーシング２の内部に、複数の冷熱ブロック３１を収容させた冷熱源室３と、吸込口２１から取り入れた外部空気を、冷熱源室３内を流通させ冷気として吐出口２２より吐出させる送風手段５１とを設け、前記冷熱源室３内に仕切壁４を設けることによって冷熱源室３内の空気流通路を曲折させたことを要件とする。
【０００６】
前記構成によって、吸込口２１から取り込んだ外部空気を、冷熱源室３内に送り込み、冷熱ブロック３１に直接に接触させながら冷熱源室３内を通過させることができるので、冷却性能を向上する。特に、本発明では、冷熱源室３内の空気流通路を仕切壁４によって曲折させたことにより、冷熱源室３内の空気流通路が延長し、冷熱ブロック３１と流通空気との接触量が増大して一層、冷却性能が高まる。
【０００７】
2)冷熱源室３
冷熱ブロック３１は、仕切壁４によって分割された冷熱源室３内に、ランダムな重積状態で収容されることが好ましい。その場合、仕切壁４による空気流通路が曲折されて冷却性能が向上する前記した効果に加え、冷熱ブロック３１の間に形成される空気流通間隙が、複雑に曲折した微細な空気流通路となるため、さらに冷却効率が向上される。
【０００８】
また、冷熱源室３内を流通する空気は、積み重ねられた冷熱ブロック３１の間を有効に通過させ、冷却効率を高めるために、上方向または下方向に流通させることが好ましい。その場合、仕切壁４によって、流通空気の向きを上向き又は下向きに交互に変換させると、限られた冷熱源室３の空間を空気冷却に有効に利用することができる。
【０００９】
3)送風手段
前記送風手段５１は、例えば、遠心ファン、軸流ファンまたは横流ファン等が挙げられるが、その中でも特に、冷熱ブロック３１間の狭い隙間に空気を通過させるためには、高い吐出力及び高い吸込力を有する遠心ファン（シロッコファン）が好ましい。また、ケーシング２内に送風手段５１を設ける位置は、冷熱源室３と吐出口２２との間の空気流通路、または冷熱源室３と吸込口２１との間の空気流通路のいずれの位置に配設してもよい。
【００１０】
4)冷熱ブロック
前記冷熱ブロック３１としては、例えば、氷塊、金属塊、蓄冷剤ブロック（液状の蓄冷剤を薄肉のプラスチック製外皮体によって内部に密封してなる構成・寒剤ブロックともいう）等が挙げられる。前記冷熱ブロック３１の形状は、球、円錐、角錐、立方体、直方体、環状体、等いずれの形状であってもよい。また、前記金属塊及び前記蓄冷剤ブロックは、予め冷蔵庫等で冷却しておくとよい。また、前記氷塊は、家庭で容易に入手できる点で好ましく、また、前記蓄冷剤ブロック及び金属塊は、液体が溶けだすことがなく繰り返し使用できる点で好ましい。
【００１１】
5)ノズル
吐出口２２に可撓性ホース６を設け、前記可撓性ホース６の先端にノズル７を設けることが好ましい。前記可撓性ホース６によって、ノズル７を自由に動かすことができ、変色作業が容易となる。特に、変色装置本体が大型である場合、本体を動かす必要がなく、ノズル７のみを動かせばよい。また、前記ノズル７は、熱変色物９に対応した形状が好ましく、その吐気孔７２ａの開口量は、熱変色物９の小面積の箇所を変色させる場合は小さく、大面積の箇所を変色させる場合は大きく、適宜設定される。さらに、前記ノズル７は、可撓性ホース６に着脱自在に設けられることが好ましく、具体的には、前記ノズル７は、可撓性ホース６に嵌着、螺着、係合等の手段により取り付けられる。
【００１２】
【発明の実施の形態】
以下、本発明の実施の形態を図面に従って説明する。
【００１３】
（実施例１）
図１は第１実施例の空気流通路に沿う縦断面説明図であり、図２は図１の内部構造を示す斜視図である。
【００１４】
ケーシング２は、直方体形状を有し、外面に吸込口２１と吐出口２２とが開口されている。そして、前記ケーシング２内には、前記吸込口２１より外部空気と連通する送風室５と、前記吐出口２２により外部空気と連通する冷熱源室３とが、送気孔５２を介して連通状態で横方向に連接配置されている。
【００１５】
前記吐出口２２は、その外部に、伸縮自在のジャバラ状の可撓性ホース６が取り付けられ、さらに、前記可撓性ホース６の先端には着脱自在のノズル７が設けられている。尚、この他にも、可撓性ホース６は、ジャバラ部を有さない軟質ゴムや軟質合成樹脂よりなるフレキシブルチューブであってもよい。
【００１６】
前記送風室５は、冷熱源室の側部に配設され、送気孔５２を通して冷熱源室と連通している。前記送風室５の内部には、送風手段５１が設けられる。具体的には、前記送風手段５１は、電源（電池）５１ｃに接続されたモーター５１ｂに取り付けたファン５１ａ（具体的には遠心ファン）により構成される。そして、前記送風手段５１の作動により、（即ち、ファン５１ａの回転により）、ケーシング２の吸込口２１より取り入れた外部空気が、送気孔５２から冷熱源室３内に送気される。
【００１７】
前記冷熱源室３は、その上部に吐出口２２及び送気孔５２が設けられ、前記吐出口２２を介して外部と連通されるとともに、前記送気孔５２を介して送風室５と連通されている。また、前記冷熱源室３内には、中央に仕切壁４が立設され、冷熱源室３は二つの分室に分割される。前記仕切壁４の下端には、連通孔４１が貫設され、これにより、冷熱源室３内を流通する空気は、始めに送気孔５２から仕切壁４に沿って下向きに流通し、連通孔４１を通過した後は、吐出口２２まで上向きに流通する。その結果、冷熱源室３内の空気流通経路が曲折されて延長されるため、流通空気と冷熱ブロック３１との接触量が増加するため、流通空気が冷熱源室３内で十分に冷却される。
【００１８】
前記冷熱源室３の上部には、冷熱ブロック３１を出し入れするための開口部３２が設けられ、該開口部３２に取り外し可能な蓋体が被せられている。図面では、冷熱源室３内には、氷塊がランダムに重積された状態で収容されている。
【００１９】
前記冷熱源室３の底壁には、複数の滴下孔８１が貫設され、該底壁の下方には、氷塊から溶け出た水を貯留するための貯液室８が設けられる。さらに、貯液室８の側壁には、排水孔８２が貫設され、該排水孔８２には、取り外し可能な栓体が設けられる。
【００２０】
【００２１】
【００２２】
【００２３】
【００２４】
【００２５】
【００２６】
【００２７】
（熱変色物の例）
図５及び図６は、本発明の送風式変色装置１を使用した際の熱変色物９の変色状態を示す。図５は、熱変色性材料を含む色材で毛髪及び衣装が彩色された人形である。図６は、熱変色性材料を含む色材でボディが彩色された自動車である。符号９１は変色部分である。
【００２８】
熱変色物９は、表面に、熱変色性材料を含む色材で彩色された熱変色部を有する。前記熱変色性材料は、常温以下（例えば５℃〜２０℃、好ましくは１０℃〜２０℃）に変色点（着色点）をもつ可逆熱変色性材料が有効であり、例えば、電子供与性呈色性有機化合物、電子受容性化合物及び変色温度調節剤からなる可逆熱変色性材料が挙げられる。
【００２９】
また、前記熱変色性材料は、温度変化により大きなヒステリシス特性を示して着色状態と無色状態の間、又は互いに異なる二つの有色状態の間の互変性を呈し、表面の熱変色部が温度変化により色変化するだけでなく、変化前後の両様相のいずれか自由に選択して常温でその様相を維持させることができる二面性を有する材料も効果的に使用できる。さらに詳細には、前記熱変色材料は、温度変化による着色濃度をプロットした曲線の形状が温度を変色温度域より低温側から温度を上昇させていく場合と、逆に変色温度域より高温側から下降させていく場合とで大きく異なる経路を辿って変色するタイプであり、それにより、低温側変色点と高温側変色点の間の常温域において、前記低温側変色点以下又は高温側変色点以上の温度で変化させた様相を記憶保持できる。
【００３０】
前記熱変色部は、前記熱変色材料を含有するペイントやインキを塗布することによって、表面に熱変色層を設けた構成、あるいは、熱変色性材料が混入された合成樹脂からなる構成等が挙げられ、適宜、所望の色彩や模様が施される。
【００３１】
（ノズルの例）
図７〜図１５にノズル７の例を示す。
【００３２】
図７及び図８に示したノズル７は、可撓性ホース６の先端開口部に着脱可能な取付筒部７１と、該取付筒部７１に連設されるとともに、平面状側面に溝状の２本の吐気孔７２ａが設けられたヘッド部７２とからなる。
【００３３】
図９及び図１０に示したノズル７は、吐気孔７２ａを備えたヘアブラシ状のヘッド部７２と、該ヘッド部７２に連設されるとともに、可撓性ホース６の先端開口部に着脱可能な取付筒部７１とからなる。前記ヘッド部７２の平面状側面には、複数の櫛歯７２ｂが三列に植設されるとともに、該櫛歯７２ｂの間に溝状の二本の吐気孔７２ａが設けられている。このノズル７は、人形の毛髪を熱変色させるのに最適であり、毛髪を梳かしながら熱変色させることができる。
【００３４】
図１１及び図１２に示したノズル７は、二種類の吐気孔７２ａを備えたヘッド部７２と、該ヘッド部７２に連設されるとともに、可撓性ホース６の先端開口部に着脱自在な取付筒部７１とからなる。前記ヘッド部７２の頂部には、吐気孔７２ａを備えた小管部７２ｃが突出し、平面状側面には、複数の小孔よりなり吐気孔７２ａが設けられている。さらに、前記ヘッド部７２の側面には、弾性板よりなる舌片７２ｄに接続された操作部７２ｅが突設されている。前記操作部７２ｅを押圧操作することによって、舌片７２ｄは、長方形状の孔の対辺の一方に選択的に接触し、空気の流れを、頂部の吐気孔７２ａまたは側部の吐気孔７２ａのどちらかへ切替えることが可能である。
【００３５】
図１３、図１４及び図１５に示したノズル７のヘッド部７２は、人形の顔面を変色させるために最適な、鏡７２ｇを有する化粧台（鏡台）を模した形状を有する。即ち、直方体のヘッド部７２の側面には、取付筒部７１が突出し、ヘッド部７２の上面には、吐気孔７２ａを備えた透明性のフード７２ｆ、及び鏡７２ｇが突設されている。図１４に示すように、前記フード７２ｆを人形の顔面に被せ冷気を当てると、常温では素顔の人形に、変色部分９１による化粧した顔面（例えば、口紅、頬紅、アイシャドウ等を施した顔面）が現れる。
【００３６】
【発明の効果】
本発明は、請求項１の構成（特に、冷熱源室内に仕切壁を設けることによって冷熱源室内の空気流通路を曲折させたこと）により、冷熱源室内の空気流通路を延長し、冷熱ブロックと流通空気との接触量を大きくさせ、冷却性能を向上させることが可能であり、変色物を短時間で熱変色させることができる。更に、吐出口に可撓性ホースを設け、前記可撓性ホースの先端にノズル設けた構成により、前記可撓性ホースによって、ノズルを自由に動かすことができ、変色作業が容易となる。
【００３７】
【図面の簡単な説明】
【図１】  本発明の第１実施例を示す空気流通路に沿う縦断面図である。
【図２】  図１の内部構造を示す斜視図である。
【図３】
【図４】
【図５】  本発明の熱変色物の例を示す図である。
【図６】  本発明の熱変色物の例を示す斜視図である。
【図７】  ノズルの例を示す斜視図である。
【図８】  図７の縦断面図である。
【図９】  ノズルの例を示す斜視図である。
【図１０】  図９の縦断面図である。
【図１１】  ノズルの例を示す斜視図である。
【図１２】  図１１の縦断面図である。
【図１３】  ノズルの例を示す斜視図である。
【図１４】  図１３のノズルの使用時の斜視図である。
【図１５】  図１３のノズルの縦断面図である。
【符号の説明】
１  送風式変色装置
２  ケーシング
２１  吸込口
２２  吐出口
３  冷熱源室
３１  冷熱ブロック
３２  開口部
４  仕切壁
４１  連通孔
５  送風室
５１  送風手段
５１ａ  ファン
５１ｂ  モーター
５１ｃ  電源
５１ｄ  スイッチ
５２  送気孔
５３  吸気孔
６  可撓性ホース
７  ノズル
７１  取付筒部
７２  ヘッド部
７２ａ  吐気孔
７２ｂ  櫛歯
７２ｃ  小管部
７２ｄ  舌片
７２ｅ  操作部
７２ｆ  フード
７２ｇ  鏡
８  貯液室
８１  滴下孔
８２  排水孔
９  熱変色物
９１  変色部分
【図１】
0003643968.tif 000002
【図２】
0003643968.tif 000003
【図５】
0003643968.tif 000004
【図６】
0003643968.tif 000005
【図７】
0003643968.tif 000006
【図８】
0003643968.tif 000007
【図９】
0003643968.tif 000008
【図１０】
0003643968.tif 000009
【図１１】
0003643968.tif 000010
【図１２】
0003643968.tif 000011
【図１３】
0003643968.tif 000012
【図１４】
0003643968.tif 000013
【図１５】
0003643968.tif 000014